(57)【要約】【課題】上方からのみならず横からの雨水と風の浸入も抑制する遮蔽装置を提供する。【解決手段】遮蔽装置１は、互いに平行に配置されていると共に伸縮可能に構成された４つの円弧形状を有する第１のフレーム２と、第１のフレーム２をそれぞれ支える支柱３と、両側に配置された支柱それぞれの下端に取付けられて扇形状のビニール製のシートの要部分に取付けられていると共に略Ｕ字形の複数の第２のフレームの端部がそれぞれ回動可能にまとめて取付けられる固定具４と、一方の固定具４に一方の端部が回動可能にまとめて取付けられていると共に他方の固定具４に他方の端部が回動可能にまとめて取付けられた略Ｕ字形の複数の第２のフレーム５と、第１のフレーム２、支柱３及び複数の第２のフレーム５に取付けられて遮蔽装置の屋根部と側面部を構成する折畳み可能な耐水性を有するビニール製のシート６とを備えている。【選択図】図１
2008231680.tif 000002
【特許請求の範囲】
【請求項１】
複数の線状フレームと、該複数の線状フレームに取付けられた折畳み可能な遮蔽シートとを有する、所定の空間を形成する遮蔽装置であって、
前記複数の線状フレームはそれぞれ、前記遮蔽シートが折畳まれた位置と前記遮蔽シートが展開された位置との間を移動可能に構成された
ことを特徴とする遮蔽装置。
【請求項２】
前記複数の線状フレームはそれぞれ、互いに平行に配置されていると共に伸縮可能に構成された
ことを特徴とする請求項１に記載の遮蔽装置。
【請求項３】
前記複数の線状フレームの端部が取付けられる複数の固定具を備え、
前記複数の線状フレームそれぞれの一方の端部は一方の前記固定具に回動可能にまとめて取付けられ、前記複数の線状フレームそれぞれの他方の端部は他方の前記固定具に回動可能にまとめて取付けられた
ことを特徴とする請求項１または請求項２に記載の遮蔽装置。
【請求項４】
前記複数の線状フレームは、第１の方向へ伸長する第１のフレーム群と第２の方向へ伸長する第２のフレーム群とに分けられ、同第１の方向と同第２の方向は互いに対向する
ことを特徴とする請求項２に記載の遮蔽装置。
【請求項５】
前記複数の線状フレームは、第１の方向へ回動する第１のフレーム群と第２の方向へ回動する第２のフレーム群とに分けられ、同第１の方向と同第２の方向は互いに対向する
ことを特徴とする請求項３に記載の遮蔽装置。
【請求項６】
前記複数の線状フレームのうち、他のフレーム群と接触する線状フレームの領域にゴム製の磁石が取付けられた
ことを特徴とする請求項４または請求項５に記載の遮蔽装置。
【請求項７】
前記遮蔽シートは、メッシュシートを介して前記複数の線状フレームに取付けられた
ことを特徴とする請求項１に記載の遮蔽装置。
【発明の詳細な説明】
【技術分野】
【０００１】
本発明は遮蔽装置に関する。詳しくは、例えば建造物の壁面との間や、地面との間に所定の空間を形成する遮蔽装置に係るものである。
【背景技術】
【０００２】
従来、学校での運動会や地域の祭り等において、日光や雨を避けるために、パイプ支柱及び防水性を有する布もしくはビニールの覆いを組立ててつくった、集会用テント、運動会用テントと呼ばれる合掌型の折畳みテントが広く使われている。
【０００３】
しかし、従来の折畳みテントは、雨天の場合に、防水性を有する布もしくはビニールの屋根に雨水が溜まったり、風で飛んでいた雨水の雫が垂れてきたりするので、折畳みテントの端にいる人は、どうしても雨露に濡れてしまっていた。
【０００４】
そこで、特許文献１には、図７に示すような折畳みテントが開示されている。即ち、布またはビニール１０１でできた屋根の部分の生地を全開し、屋根形の形状にするために骨組みパイプ１０２を使用して屋根パイプを組立て、組立てたパイプへ布またはビニール１０１を覆い被せ、屋根部分の内側より布またはビニール１０１の取付用の紐を骨組みパイプ１０２に縛り付けすることによりテントの屋根ができあがり、このテント屋根へ下から４本の支柱１０３を立ててテントを完成させ、雨水の雫が垂れてくる位置に雨樋１０４を取付ける。取付方法は、テント屋根の前後外周部の近傍またはテント屋根全外周部の近傍へＳ字状樋受１０７を雨樋１０４へ間隔を置いて骨組みパイプ１０２から雨樋１０４へ支承取付けする方法である。また、支柱１０３の上部の雨樋１０４と雨樋１０４との継ぎ目の１箇所または２箇所に雨樋受１０５を取付け、雨樋受１０５から支柱１０３に並設するように排水樋１０６を取付ける。また支柱１０３と排水樋１０６を重なり合うように支承させるためのＸ状支持板１０８も取付けられている。
【０００５】
【特許文献１】実用新案登録第３０５７２５７号明細書
【発明の開示】
【発明が解決しようとする課題】
【０００６】
しかしながら、従来の折畳みテントでは、上方からの雨水は雨樋によって排出されるが、横風等によって横から雨水が入り込んでしまい、テント内の人が依然として濡れてしまう可能性があった。
【０００７】
本発明は、以上の点に鑑みて創案されたものであり、上方からのみならず横からの雨水と風の浸入も抑制する遮蔽装置を提供することを目的とする。
【課題を解決するための手段】
【０００８】
上記の目的を達成するために、本発明の遮蔽装置は、複数の線状フレームと、該複数の線状フレームに取付けられた折畳み可能な遮蔽シートとを有する、所定の空間を形成する遮蔽装置であって、前記複数の線状フレームはそれぞれ、前記遮蔽シートが折畳まれた位置と前記遮蔽シートが展開された位置との間を移動可能に構成されたことを特徴とする。
【０００９】
ここで、複数の線状フレームがそれぞれ、遮蔽シートが折畳まれた位置と遮蔽シートが展開された位置との間を移動可能に構成されていることによって、支柱等他の部材を用いずに線状フレーム及び遮蔽シートで上部及び側面が囲まれた所定の空間を形成することができる。
【００１０】
また、本発明の遮蔽装置において、複数の線状フレームはそれぞれ、互いに平行に配置されていると共に伸縮可能に構成された場合、遮蔽装置の規模が大きくても、複数のフレームが平行に配置されているため充分な強度を有することができる。
【００１１】
更に、本発明の遮蔽装置において、複数の線状フレームの端部が取付けられる複数の固定具を備え、複数の線状フレームそれぞれの一方の端部は一方の固定具に回動可能にまとめて取付けられ、複数の線状フレームそれぞれの他方の端部は他方の固定具に回動可能にまとめて取付けられた場合、遮蔽シートが折畳まれたときには線状フレームを重ねておくことができ、大きな収納スペースを必要としない。
【００１２】
また、本発明の遮蔽装置において、複数の線状フレームは、第１の方向へ伸長または回動する第１のフレーム群と第２の方向へ伸長または回動する第２のフレーム群とに分けられ、第１の方向と第２の方向は互いに対向する場合、上部が開閉される空間を形成でき、適宜、開放的な空間を形成できる。
【００１３】
また、複数の線状フレームが第１の方向と第２の方向それぞれに伸長または回動する本発明の遮蔽装置において、複数の線状フレームのうち、他のフレーム群と接触する線状フレームの領域にゴム製の磁石が取付けられた場合、しっかりとフレーム同士を接合できるので、上部から所定の空間内への雨水の浸入も防ぐことができる。
【００１４】
また、本発明の遮蔽装置において、遮蔽シートは、メッシュシートを介して複数の線状フレームに取付けられた場合、線状フレームと遮蔽シートとの間にメッシュシートが配置されることになるため、遮蔽シートの表面を伝った雨水が線状フレームにせき止められて遮蔽シート上に溜まることなく、メッシュシートを通過して排出される。
【発明の効果】
【００１５】
本発明に係る遮蔽装置は、上方からのみならず横からの雨水と風の浸入も抑制することができる。
【発明を実施するための最良の形態】
【００１６】
以下、本発明の実施の形態について図面を参照しながら説明し、本発明の理解に供する。
図１は、本発明を適用した遮蔽装置の一例を示す概略図である。ここで、図１（ａ）は開いた状態の遮蔽装置を示し、図１（ｂ）は閉じた状態の遮蔽装置を示す。
図１（ａ）及び図１（ｂ）において、本発明の遮蔽装置１は、互いに平行に配置されていると共に伸縮可能に構成された４つの円弧形状を有する第１のフレーム２と、これら第１のフレーム２をそれぞれ支える支柱３と、支柱３のうち両側に配置された支柱それぞれの下端に取付けられて扇形状のビニール製のシートの要（かなめ）部分に取付けられていると共に略Ｕ字形の複数の第２のフレームの端部がそれぞれ回動可能にまとめて取付けられる固定具４と、一方の固定具４に一方の端部が回動可能にまとめて取付けられていると共に他方の固定具４に他方の端部が回動可能にまとめて取付けられた略Ｕ字形の複数の第２のフレーム５と、第１のフレーム２、支柱３及び複数の第２のフレーム５に取付けられて遮蔽装置の屋根部と側面部を構成する折畳み可能な耐水性を有するビニール製のシート（遮蔽シートの一例である。）６とを備えている。
【００１７】
また、第１のフレーム２はそれぞれ、筒状の円弧形状を有する第１の構成部材２Ａと、第１の構成部材２Ａ内に滑走可能に取付けられた筒状の円弧形状を有する第２の構成部材２Ｂと、第２の構成部材２Ｂ内に滑走可能に取付けられた筒状の円弧形状を有する第３の構成部材２Ｃとで構成されており、第１の構成部材２Ａの両端を通って第２の構成部材２Ｂが滑走して伸び、第２の構成部材２Ｂそれぞれの一端を通って第３の構成部材２Ｃが滑走して伸び、第１のフレーム２が伸びる構成となっており、また、第２の構成部材２Ｂが滑走して第１の構成部材２Ａの両端を通って第１の構成部材２Ａ内に収まり、第３の構成部材２Ｃが滑走して第２の構成部材２Ｂそれぞれの一端を通って第２の構成部材２Ｂ内に収まり、第１のフレーム２が縮む構成となっている。
【００１８】
また、各構成部材は円弧形状を有しているので、各構成部材が滑走すると各構成部材は、ビニール製のシート６が折畳まれた位置（図１（ａ）参照。）からビニール製のシート６が展開された位置（図１（ｂ）参照。）まで円弧状に移動することになる。
また、略Ｕ字形の複数の第２のフレーム５はそれぞれ、一方の端部が一方の固定具に、他方の端部が他方の固定具にそれぞれまとめて回動可能に取付けられているので、ビニール製のシート６が折畳まれた位置（図１（ａ）参照。）からビニール製のシート６が展開された位置（図１（ｂ）参照。）まで端部を軸に円弧状に移動することになる。
また、支柱３それぞれは、第１の構成部材２Ａに取付けられて第１の構成部材２Ａを支えている。
また、図１（ａ）に示すように、複数の第２のフレーム５はそれぞれ、第２の構成部材２Ｂ及び第３の構成部材２Ｃと交差する位置において、第２の構成部材２Ｂ及び第３の構成部材２Ｃにそれぞれの長さ方向へ滑車７によって滑走可能に取付けられている。
【００１９】
図１（ｂ）に示す閉じた状態では、第１のフレーム２の先端及びビニール製のシート６の自由辺が地面と接しており、第１及び第２のフレームとビニール製のシートとで囲まれた空間が形成される。また、地面と接する、第１のフレーム２及びビニール製のシート６の各領域には、ゴムが取付けられたり、閉じた状態において地面から約１ｍ上までの範囲に位置する遮蔽シートとしてゴム製のシートを用いたり、ビニール製のシートの上からゴムを張りつけたりしてもよい。
また、例えば第２の構成部材２Ｂを滑走させるにとどめて一方の第１のフレーム２の先端を地面に接触させないことで、囲まれた空間内への出入口を形成することもできる。
【００２０】
また、第１のフレーム２を構成する第２の構成部材２Ｂや第３の構成部材２Ｃに第２のフレーム５は取付けられているので、第２の構成部材２Ｂや第３の構成部材２Ｃを動かして第１のフレーム２を伸縮させれば第２のフレーム５も回動させることができ、第１のフレーム２を伸縮させることができればどのような方法を用いてもよいが、例えば各構成部材に取付けられた滑車にワイヤーを通し、このワイヤーを引くことで第１のフレーム２を伸縮させる方法や、径の異なる複数の円筒体が油圧で伸縮する油圧シリンダーを各構成部材内に取付けてこの油圧シリンダーを伸縮させて第１のフレーム２を伸縮させる方法が用いられる。
ここで、フレームがそれぞれ、遮蔽シートが折畳まれた位置と遮蔽シートが展開された位置との間を移動可能に構成されていれば、必ずしも第１のフレームは円弧形状を有していなくてもよく例えば直線形状を有して真っ直ぐ移動してもよく、また、第２のフレームは必ずしも両端部がそれぞれ固定具に回動可能に取付けられていなくてもよい。
【００２１】
図２は、図１に示す破線領域Ａの拡大断面図である。図２において、第２のフレーム５の上半分は、連結具９によって、第２の構成部材２Ｂ内を長さ方向に滑走する滑車７に連結されており、これにより第２のフレーム５は第２の構成部材２Ｂに、長さ方向へ滑走可能に取付けられている。また、第３の構成部材２Ｃに対しても同様に第２のフレーム５は長さ方向へ滑走可能に取付けられている。
また、図２において、ビニール製のシート６にはメッシュシート１０が取付けられており、また、第２のフレーム５から下方へ延びた２つのフラットバー８がメッシュシート１０の一端を挟み、メッシュシート１０の他端がビニール製のシート６にミシン縫い等で取付けられることにより、ビニール製のシート６は、メッシュシート１０を介して第２のフレーム５に取付けられている。
また、第２のフレーム５は直径７６．３ｍｍの円柱形状を有するが、必ずしもこのような形状及びサイズにしなくてもよい。
【００２２】
図３は、本発明を適用した遮蔽装置をビルの外壁に適用した例を説明する概略図である。ここで、図３（ａ）は開いた状態の遮蔽装置を示し、図３（ｂ）は閉じた状態の遮蔽装置を示す。
図３において、本発明の遮蔽装置１は、互いに平行に配置されていると共に伸縮可能に構成された５つの円弧形状を有する第１のフレーム２と、建造物１１の外壁に一端が取付けられると共に他端が第１のフレーム２のそれぞれに取付けられて第１のフレーム２を支持する支持部材１２と、両側の第１のフレーム２にそれぞれ取付けられた扇形状のビニール製のシートの要部分に取付けられていると共に略Ｕ字形の複数の第２のフレームの端部がそれぞれ回動可能にまとめて取付けられる固定具４と、一方の固定具４に一方の端部が回動可能にまとめて取付けられていると共に他方の固定具４に他方の端部が回動可能にまとめて取付けられた略Ｕ字形の複数の第２のフレーム５と、第１のフレーム２、建造物１１の外壁及び複数の第２のフレーム５に取付けられて遮蔽装置の屋根部と側面部を構成する折畳み可能な耐水性を有するビニール製のシート６とを備えている。
【００２３】
また、第１のフレーム２はそれぞれ、筒状の円弧形状を有する第１の構成部材２Ａと、第１の構成部材２Ａ内に滑走可能に取付けられた筒状の円弧形状を有する第２の構成部材２Ｂと、第２の構成部材２Ｂ内に滑走可能に取付けられた筒状の円弧形状を有する第３の構成部材２Ｃとで構成されており、第１の構成部材２Ａの一端を通って第２の構成部材２Ｂが滑走して伸び、第２の構成部材２Ｂの一端を通って第３の構成部材２Ｃが滑走して伸び、第１のフレーム２が伸びる構成となっており、また、第２の構成部材２Ｂが滑走して第１の構成部材２Ａの一端を通って第１の構成部材２Ａ内に収まり、第３の構成部材２Ｃが滑走して第２の構成部材２Ｂの一端を通って第２の構成部材２Ｂ内に収まり、第１のフレーム２が縮む構成となっている。
【００２４】
また、複数の第２のフレーム５はそれぞれ、第２の構成部材２Ｂ、第３の構成部材２Ｃ及び第４の構成部材２Ｄと交差する位置において、第２の構成部材２Ｂ及び第３の構成部材２Ｃにそれぞれの長さ方向へ滑走可能に取付けられている。
また、各構成部材は円弧形状を有しており、略Ｕ字形の複数の第２のフレーム５はそれぞれ一方の端部が一方の固定具に、他方の端部が他方の固定具にそれぞれまとめて回動可能に取付けられているので、ビニール製のシート６が折畳まれた位置（図３（ａ）参照。）からビニール製のシート６が展開された位置（図３（ｂ）参照。）まで円弧状に移動することになり、建造物１１の外壁から所定の距離離れた位置まで本発明の遮蔽装置１によって囲まれた空間を形成する。
ここで、フレームがそれぞれ、遮蔽シートが折畳まれた位置と遮蔽シートが展開された位置との間を移動可能に構成されていれば、必ずしも第１のフレームは円弧形状を有していなくてもよく例えば直線形状を有して真っ直ぐ移動してもよく、また、第２のフレームは必ずしも両端部がそれぞれ固定具に回動可能に取付けられていなくてもよい。
【００２５】
図４は、本発明を適用した遮蔽装置を地中に配置した第１の態様を説明する概略図である。ここで、図４（ａ）は開いた状態の遮蔽装置を示し、図４（ｂ）は閉じた状態の遮蔽装置を示す。
図４において、本発明の遮蔽装置１は、互いに平行に配置されていると共に伸縮可能に構成された４つの円弧形状を有する第１のフレーム２と、扇形状のビニール製のシートの要部分に取付けられていると共に略Ｕ字形の複数の第２のフレームの端部がそれぞれ回動可能にまとめて取付けられる固定具４と、一方の固定具４に一方の端部が回動可能にまとめて取付けられていると共に他方の固定具４に他方の端部が回動可能にまとめて取付けられた略Ｕ字形の複数の第２のフレーム５と、第２のフレーム５に取付けられて遮蔽装置の屋根部と側面部を構成する折畳み可能な耐水性を有するビニール製のシート６とを備えている。
【００２６】
また、第１のフレーム２はそれぞれ、筒状の円弧形状を有する第１の構成部材２Ａと、第１の構成部材２Ａ内に滑走可能に取付けられた筒状の円弧形状を有する第２の構成部材２Ｂと、第２の構成部材２Ｂ内に滑走可能に取付けられた筒状の円弧形状を有する第３の構成部材２Ｃと、第３の構成部材２Ｃ内に滑走可能に取付けられた第４の構成部材２Ｄとで構成されて、伸縮する構成となっている。また、第１の構成部材２Ａは、地中に位置したままである。
また、断面形状が略Ｕ字形であると共に両端がそれぞれ固定具４上に配置されて両端を軸に回動可能に構成された雨樋１３が、第４の構成部材２Ｄそれぞれの先端及び、第４の構成部材２Ｄの先端付近に位置すると共に遮蔽装置の両側に位置する第２のフレーム５に取付けられており、図４（ａ）に示すように、第１のフレーム２が縮んで全ての第１のフレーム２の構成部材と第２のフレーム５とビニール製のシート６とが地中に収納された場合、雨樋１３は、これら部材が収納されたスペースの蓋となって雨樋１３の底面が地面と略同じ高さに位置することになる。
【００２７】
また、複数の第２のフレーム５はそれぞれ、第２の構成部材２Ｂ、第３の構成部材２Ｃ及び第４の構成部材２Ｄと交差する位置において、第２の構成部材２Ｂ、第３の構成部材２Ｃ及び第４の構成部材２Ｄにそれぞれの長さ方向へ滑走可能に取付けられている。
また、各構成部材は円弧形状を有しており、略Ｕ字形の複数の第２のフレーム５はそれぞれ一方の端部が一方の固定具に、他方の端部が他方の固定具にそれぞれまとめて回動可能に取付けられているので、ビニール製のシート６が折畳まれた位置（図４（ａ）参照。）からビニール製のシート６が展開された位置（図４（ｂ）参照。）まで円弧状に移動することになり、地上に略Ｕ字形に配置されていると共にドア１５及びシャッター１６が形成されたコンクリート製の壁１４に雨樋１３が接触し、本発明の遮蔽装置１と壁１４とで囲まれたドーム型建造物が形成される。
【００２８】
また、図４（ｂ）に拡大して示すように、第１のフレーム２が地中から伸びて、第４の構成部材２Ｄの先端等に取付けられた雨樋１３が壁１４に接触する。また、雨樋１３は、断面形状が略Ｕ字形であるので、本発明の遮蔽装置１によって形成されたドーム型建造物の湾曲した屋根を伝って落ちる雨水を受けることができる。
【００２９】
図５は、本発明を適用した遮蔽装置を地中に配置した第２の態様を説明する概略図である。ここで、図５（ａ）は開いた状態の遮蔽装置を示し、図５（ｂ）は閉じた状態の遮蔽装置を示す。
図５において、本発明の遮蔽装置１は、互いに平行に配置されていると共に第１の方向へ伸長可能に構成された５つの円弧形状を有する第１のフレーム２と、互いに平行に配置されていると共に第２の方向へ伸長可能に構成された５つの円弧形状を有する第１のフレーム２と、扇形状のビニール製のシートの要部分に取付けられていると共に略Ｕ字形の複数の第２のフレームの端部がそれぞれ回動可能にまとめて取付けられる固定具４と、一方の固定具４に一方の端部が回動可能にまとめて取付けられていると共に他方の固定具４に他方の端部が回動可能にまとめて取付けられた略Ｕ字形の複数の第２のフレーム５と、第２のフレーム５に取付けられて遮蔽装置の屋根部と側面部を構成する折畳み可能な耐水性を有するビニール製のシート６とを備えている。
【００３０】
また、第１のフレーム２はそれぞれ、筒状の円弧形状を有する第１の構成部材２Ａと、第１の構成部材２Ａ内に滑走可能に取付けられた筒状の円弧形状を有する第２の構成部材２Ｂと、第２の構成部材２Ｂ内に滑走可能に取付けられた筒状の円弧形状を有する第３の構成部材２Ｃと、第３の構成部材２Ｃ内に滑走可能に取付けられた第４の構成部材２Ｄとで構成されて、伸縮する構成となっている。また、第１の構成部材２Ａは、地中に位置したままである。
また、第１のフレーム２を構成する各構成部材に第２のフレーム５は取付けられているので、各構成部材を動かして第１のフレーム２を伸縮させれば第２のフレーム５も回動させることができ、第１のフレーム２を第１の方向へ伸長させれば、第２のフレーム５も第１の方向へ回動する。また、第１の方向と第２の方向は互いに対向しており、第１の方向へ第１のフレーム２を伸長させると共に第２の方向へもう一方の第１のフレーム２を伸長させることで、各構成部材は円弧形状を有しており、略Ｕ字形の複数の第２のフレーム５はそれぞれ一方の端部が一方の固定具に、他方の端部が他方の固定具にそれぞれまとめて回動可能に取付けられているので、ビニール製のシート６が折畳まれた位置（図５（ａ）参照。）からビニール製のシート６が展開された位置（図５（ｂ）参照。）まで円弧状に移動することになり、図５（ａ）に示すような地上に何もない状態から、図５（ｂ）に示すような本発明の遮蔽装置１で囲まれたトンネル型の所定空間が形成される。
【００３１】
また、第１の方向へ伸長する第１のフレーム２の先端及び第１の方向へ回動する先頭の第２のフレーム５と、第２の方向へ伸長する第１のフレーム２の先端及び第２の方向へ回動する先頭の第２のフレーム５とは、遮蔽装置が閉じた状態において互いに接触するが、第１のフレーム２及び第２のフレーム５それぞれの接触する領域にゴム磁石を取付けたり、第１の方向へ伸長する第１のフレーム２の先端に凹部を形成し、第２の方向へ伸長する第１のフレーム２の先端に凸部を形成して嵌合させたりして、遮蔽装置が閉じた際に屋根部の隙間形成を抑制することが好ましい。
ここで、フレームがそれぞれ、遮蔽シートが折畳まれた位置と遮蔽シートが展開された位置との間を移動可能に構成されていれば、必ずしも第１のフレームは円弧形状を有していなくてもよく例えば直線形状を有して真っ直ぐ移動してもよく、また、第２のフレームは必ずしも両端部がそれぞれ固定具に回動可能に取付けられていなくてもよい。
【００３２】
図６は、本発明を適用した遮蔽装置を地中に配置した第３の態様を説明する概略図である。ここで、図６（ａ）は開いた状態の遮蔽装置を示し、図６（ｂ）は閉じた状態の遮蔽装置を示す。
図６において、本発明の遮蔽装置１は、扇形状のゴム製のシートの要部分に取付けられていると共に略Ｕ字形の複数の第２のフレームの端部がそれぞれ回動可能にまとめて取付けられる固定具４と、一方の固定具４に一方の端部が第１の方向へ回動可能にまとめて取付けられていると共に他方の固定具４に他方の端部が第１の方向へ回動可能にまとめて取付けられた略Ｕ字形の複数の第２のフレーム５と、一方の固定具４に一方の端部が第２の方向へ回動可能にまとめて取付けられていると共に他方の固定具４に他方の端部が第２の方向へ回動可能にまとめて取付けられた略Ｕ字形の複数の第２のフレーム５と、第２のフレーム５に取付けられて遮蔽装置の屋根部と側面部を構成する折畳み可能な耐水性を有するゴム製のシート（遮蔽シートの一例である。）２０とを備えている。
また、図６に示された本発明の遮蔽装置１は、他の図に示された本発明の遮蔽装置と異なり、伸縮可能な第１のフレーム２を備えていないので、第１のフレーム２を地中に収納するために地面を深く掘り下げる必要がない。
【００３３】
また、図６（ａ）に示すように、本発明の遮蔽装置１が開いた状態即ち地中に収納された状態において、一番上に位置する第２のフレーム（先頭のフレーム）５は、図６（ｂ）に示すように本発明の遮蔽装置１が閉じた状態において対向する方向から回動してきたフレームと接触する領域を有し、各先頭のフレームの接触領域には互いに異なる磁極を有するゴム磁石１７が取付けられている。また、ゴム磁石の代わりにゴムパッキンを使用してもよい。
また、本発明の遮蔽装置１を作動させて閉じた状態にする場合、先頭のフレームが油圧式リフト機１８によって持ち上げられると、他の第２のフレームは、先頭のフレームに取付けられたゴム製のシート２０によって引っ張られて順次持ち上げられ、図６（ｂ）に示すように先頭のフレームが地面に対して略垂直な位置に到達すると、互いに接触して作動が終了し、図６（ａ）に示すように地上に何もない状態から、図６（ｂ）に示すような本発明の遮蔽装置１で囲まれたドーム型の所定空間が形成される。この場合、油圧式リフト機１８によって先頭のフレームが持ち上げられた状態が維持される。
また、固定具４は、本発明の遮蔽装置１が収納される地中の収納スペース１９の底面に設置されていて、収納スペース１９の高さの範囲内に位置しており、また、収納スペース１９の底面に接するゴム製のシート２０は、フラットバー８を介して収納スペース１９の底面にビスで固定されている。
また、略Ｕ字形の複数の第２のフレーム５はそれぞれ一方の端部が一方の固定具に、他方の端部が他方の固定具にそれぞれまとめて回動可能に取付けられているので、ゴム製のシート２０が折畳まれた位置（図６（ａ）参照。）からゴム製のシート２０が展開された位置（図６（ｂ）参照。）まで円弧状に移動することになり、図６（ａ）に示すような地上に何もない状態から、図６（ｂ）に示すような本発明の遮蔽装置１で囲まれたドーム型の所定空間が形成される。
【００３４】
ここで、第１のフレーム２を備えずに、第２のフレーム５を備えた例を説明したが、第２のフレーム５を備えずに第１のフレーム２を備えた遮蔽装置であってもよいことは勿論である。
【００３５】
このように、本発明の遮蔽装置は、複数の線状フレームがそれぞれ、遮蔽シートが折畳まれた位置と遮蔽シートが展開された位置との間を移動可能に構成されているので、支柱等他の部材を用いずに線状フレーム及び遮蔽シートで上部及び側面が囲まれた所定の空間を形成することができ、上方からのみならず横からの雨水の浸入も抑制することができる。
【００３６】
また、複数の線状フレームはそれぞれ、互いに平行に配置されていると共に伸縮可能に構成されているので、遮蔽装置の規模が大きくても、複数のフレームが平行に配置されているため充分な強度を有することができる。
【００３７】
また、複数の線状フレームの端部が取付けられる複数の固定具を備え、複数の線状フレームそれぞれの一方の端部は一方の固定具に回動可能にまとめて取付けられ、複数の線状フレームそれぞれの他方の端部は他方の固定具に回動可能にまとめて取付けられているので、遮蔽シートが折畳まれたときには線状フレームを重ねておくことができ、大きな収納スペースを必要としない。
【００３８】
また、複数の線状フレームは、第１の方向へ伸長または回動する第１のフレーム群と第２の方向へ伸長または回動する第２のフレーム群とに分けられ、第１の方向と第２の方向は互いに対向するので、上部が開閉される空間を形成でき、適宜、開放的な空間を形成できる。
【００３９】
また、複数の線状フレームが第１の方向と第２の方向それぞれに伸長または回動し、複数の線状フレームのうち、他のフレーム群と接触する線状フレームの領域にゴム製の磁石が取付けられているので、しっかりとフレーム同士を接合できるので、上部から所定の空間内への雨水の浸入も防ぐことができる。
【００４０】
また、遮蔽シートは、メッシュシートを介して複数の線状フレームに取付けられているので、線状フレームと遮蔽シートとの間にメッシュシートが配置されることになるため、遮蔽シートの表面を伝った雨水が線状フレームにせき止められて遮蔽シート上に溜まることなく、メッシュシートを通過して排出される。
【００４１】
また、ゲートボール場、テニス場、野球場、イベント会場等において、本発明の遮蔽装置を地中に設置しておけば、雨天の際には簡単に屋内空間を形成することができ、また、晴天の際には地中に収納して地上に何も残らず広場として使用できる。
また、家屋が建つ土地の地中に、家屋を囲むように設置しておけば、台風等から家屋を守ることもできる。また、家屋等の建造物外壁に設置すれば、建造物内への大水の侵入も防止できる。この際、遮蔽シートをゴム製のシートにしたり、２つの方向から開閉するタイプではフレームの接触領域にゴム磁石やゴムパッキンを使用したりすればより効果的である。
【図面の簡単な説明】
【００４２】
【図１】本発明を適用した遮蔽装置の一例を示す概略図である。
【図２】図１に示す破線領域Ａの拡大断面図である。
【図３】本発明を適用した遮蔽装置をビルの外壁に適用した例を説明する概略図である。
【図４】本発明を適用した遮蔽装置を地中に配置した第１の態様を説明する概略図である。
【図５】本発明を適用した遮蔽装置を地中に配置した第２の態様を説明する概略図である。
【図６】本発明を適用した遮蔽装置を地中に配置した第３の態様を説明する概略図である。
【図７】従来の折畳みテントを説明する概略図である。
【符号の説明】
【００４３】
１    遮蔽装置
２    第１のフレーム
２Ａ  第１の構成部材
２Ｂ  第２の構成部材
２Ｃ  第３の構成部材
２Ｄ  第４の構成部材
３    支柱
４    固定具
５    第２のフレーム
６    ビニール製のシート
７    滑車
８    フラットバー
９    連結具
１０    メッシュシート
１１    建造物
１２    支持部材
１３    雨樋
１４    壁
１５    ドア
１６    シャッター
１７    ゴム磁石
１８    油圧式リフト機
１９    収納スペース
２０    ゴム製のシート
【図１】
2008231680.tif 000003
【図２】
2008231680.tif 000004
【図３】
2008231680.tif 000005
【図４】
2008231680.tif 000006
【図５】
2008231680.tif 000007
【図６】
2008231680.tif 000008
【図７】
2008231680.tif 000009